(57)【特許請求の範囲】
【請求項１】
アパーチャの側方位置に枢着された２枚のシャッタ羽根が略対称的に往復回動してアパーチャを開閉するようにしたカメラ用レンズシャッタにおいて、各シャッタ羽根は、僅かに凸面となるように湾曲されていて閉鎖時において少なくともアパーチャの略中心では凸面の頂部が向かい合って接触することを特徴とするカメラ用レンズシャッタ。
【請求項２】
前記凸面の頂部が、前記各シャッタ羽根の枢着部と前記アパーチャの中心とを結ぶ線分に対し、略直交する方向に弧状又は直線状に形成されていることを特徴とする請求項１に記載のカメラ用レンズシャッタ。
【請求項３】
前記凸面の頂部が、前記シャッタ羽根の枢着部間の中間位置と前記アパーチャの中心とを結ぶ線分に対し、略直交する方向に弧状又は直線状に形成されていることを特徴とする請求項１に記載のカメラ用レンズシャッタ。
【発明の詳細な説明】
【０００１】
【産業上の利用分野】
本発明は、アパーチャの側方位置に枢着された２枚のシャッタ羽根が略対称的に往復回動してアパーチャを開閉するようにしたカメラ用レンズシャッタに関する。
【０００２】
【従来の技術】
この種のシャッタにおけるシャッタ羽根は、アパーチャの側方位置において往復回動する構成であるため、面積が大きく且つ作動量の大きい遮光領域部が、遮光面と直交する方向に対して本質的に不安定な状態に置かれている。そのため、アパーチャを閉鎖している場合には、シャッタ羽根同士で重なりあっている部分やアパーチャの周縁部から漏光が生じたり、また、開閉作動時にはカメラを構える姿勢によって露光量が変わったり、更に、シャッタ羽根同士のその都度の接触具合の違いから切りむら（同一条件の被写体を同じ姿勢で撮影しても露光量が変わっていまうこと）が生じたりする等の虞がある。そのため、そのような現象を生じないようにするために、従来より様々な工夫が講じられてきた。
【０００３】
しかしながら、近年に至り、シャッタ羽根の薄型化やプラスチック化が一段と進んできたり、また、シャッタの小型化に伴って閉鎖時におけるシャッタ羽根同士の重なりを余り大きくできなくなってきたり、更には、シャッタ羽根の作動中に種々の目的からシャッタ羽根の位置信号を採るようになりシャッタ羽根の枢着部から自由端までの寸法を従来より相対的に長くせざるを得なくなってきた等の理由により、従来のような方法では機能的又はコスト的に対応しきれない状態になってきている。そこで、このことを図４乃至図７を用いて以下に具体的に説明する。
【０００４】
図４は閉鎖状態におけるアパーチャ１とシャッタ羽根２，３との配置関係を示した平面図であり、図５は図４においてＸ−Ｘ線で断面した場合における羽根室内の構成を示す断面図である。シャッタ羽根２，３を収容するために羽根室を構成している二つの地板４，５には夫々円形の開口４ａ，５ａが形成されており、それらによってアパーチャ１を構成している。シャッタ羽根２，３は、地板４に植設された図示していない別々の軸に孔２ａ，３ａを嵌合させて枢着されている。
【０００５】
また、シャッタ羽根２，３のスロット２ｂ，３ｂには、周知のように図示していない開閉部材のピンが嵌合し、該ピンが図４においてアパーチャ１の中心を通るシャッタの光軸Ｏから離れる方向へ動くとシャッタ羽根２，３は対称的に作動してアパーチャ１を開口し、その後、光軸Ｏ方向へ戻るとアパーチャ１を閉鎖するようになされている。シャッタ羽根２の自由端に形成されている突出部２ｃは、シャッタ羽根２が所定の作動位置に達したとき、図示していない光電スイッチを作動させるためのものである。地板４，５はプラスチック製であって、夫々、俗にレールと称している細長い摺接部４ｂ，４ｃ，５ｂ，５ｃが形成されている。これらの摺接部４ｂ，４ｃ，５ｂ，５ｃは周知であって、例えば実開平３−２２２２７号公報に示されており、通常、アパーチャ１と同心的に形成された円形部からシャッタ羽根２，３の作動軌跡に合わせて円弧状に形成されている。
【０００６】
ここに示した例は、図５の断面図から分かるように、摺接部４ｂ，４ｃ，５ｂ，５ｃの高さを変え且つシャッタ羽根２，３（厚さは、通常約０．１ｍｍ）の平面度を良くすることによって、シャッタ羽根２，３が直接接触しにくいようにし、姿勢差や切りむらが生じないように工夫したものである。この場合、シャッタ羽根２，３の間隔は設計上０．１ｍｍ前後とするのが普通である。ところが、カメラの小型化に伴い地板４，５の外形形状、特に光軸に対して垂直方向の外形を小さくする必要に迫られ、図４にＬで示した重なり寸法を小さくせざるを得なくなってきた。その結果、図５に示すように上記の間隔ではフィルム面に対する有害な漏光を防ぐことは、もはや難しくなってきた。
【０００７】
上記のような漏光についての問題点を克服できる例が図６に示されている。この図は図５と同様にして視た断面図であり、符号は同等なものに同じ符号を付けてある。この例は摺接部４ｂ，４ｃ，５ｂ，５ｃの高さを均一にし、シャッタ羽根２，３が接触し得るようにしたものである。しかしながら、この場合にはシャッタ羽根２，３の接触状態が撮影の都度絶えず変わるため、本質的に、姿勢差や切りむらを発生させる構成となっている。そのため、それに対する諸対策が必要となり、コストアップに繋がっている。
【０００８】
また、図７には他の例が示されている。図（ａ）は図４と同様にして示した平面図であり、図（ｂ）は図（ａ）のＹ−Ｙ線で断面し、図５と同様にして示した断面図である。図（ｃ）は図（ａ）のＺ−Ｚ線で断面し、図（ｂ）と同様にして示した断面図である。ところで、上記したように、シャッタ羽根には平面性が要求される。シャッタ羽根は、通常、スチールの場合もプラスチックの場合も、フープ材から打ち抜き加工によって製作される。従って、そのままでは湾曲していて使用することができない。
【０００９】
そこで、フラッティング加工を行うが、なかなか理想的な平面にはならず、微妙な湾曲が残ってしまう。特に、最近のシャッタ羽根は自由端に上記した突出部２ｃなどを形成することが普通になってきたため、シャッタ羽根における枢着部からの長さを相対的に大きくしなければならず、また形状も複雑となってきているため、このことがなおさら平面性を得にくくしている。そこで、組み付けられる２枚のシャッタ羽根の組み合わせによっては、図（ｃ）に示すようにアパーチャ１の中央部において両者の間隔が大きくなり、漏光してしまうため、組立調整工程が極めて大変であった。このことは、図５に示したような摺接部４ｂ，４ｃ，５ｂ，５ｃの高さを変えるようにした場合においても同じことが言える。
【００１０】
【発明が解決しようとする課題】
上記のように、近年、シャッタの尚一層の小型化が要求されており、また一方ではシャッタ羽根の形状も変わったものが要求されるようになってきたこともあって、従来のように、姿勢差や切りむらが生じないようにシャッタ羽根間に隙間を持たせるようにしたのでは、適切に漏光を防止することが行えず、更にその隙間を極めて微細にしたり、他の漏光防止策を講じようとすると、コスト的に極めて不利になるという問題点があった。
本発明は、このような問題点を解決するためになされたものであり、その目的とするところは、漏光を防止でき、且つ姿勢差や切りむらも生じにくく、しかもコスト的に有利なカメラ用レンズシャッタを提供することである。
【００１１】
【課題を解決するための手段及び作用】
上記の目的を達成するために、本発明は、アパーチャの側方位置に枢着された２枚のシャッタ羽根が略対称的に往復回動してアパーチャを開閉するようにしたカメラ用レンズシャッタにおいて、各シャッタ羽根は、僅かに凸面となるように湾曲されていて閉鎖時において少なくともアパーチャの略中心では凸面の頂部が向かい合って接触するように形成されている。
【００１２】
また、本発明におけるカメラ用レンズシャッタは、好ましくは、前記凸面の頂部が、前記各シャッタ羽根の枢着部と前記アパーチャの中心とを結ぶ線分に対し、略直交する方向に弧状又は直線状に形成されている。
更に、本発明におけるカメラ用レンズシャッタは、好ましくは、前記凸面の頂部が、前記シャッタ羽根の枢着部間の中間位置と前記アパーチャの中心とを結ぶ線分に対し、略直交する方向に弧状又は直線状に形成されている。
【００１３】
【実施例】
本発明の実施例を図１乃至図３を用いて説明する。図１は本実施例のシャッタを示しており、図（ａ）は閉鎖状態におけるアパーチャとシャッタ羽根との配置関係を示した平面図であり、図（ｂ）は図（ａ）においてＡ−Ａ線で断面した場合における羽根室内の構成を示す断面図であり、図（ｃ）は図（ａ）においてＢ−Ｂ線で断面した場合における羽根室内の構成を示す断面図である。図２は一方のシャッタ羽根を示しており、図（ａ）は平面図であり、図（ｂ）は図（ａ）の底面図である。図３は他方のシャッタ羽根を示しており、図（ａ）は平面図であり、図（ｂ）は図（ａ）の底面図である。
【００１４】
図１から分かるように、本実施例の構成は上記図７の構成と殆ど同じであり、異なるのはシャッタ羽根２，３の構成のみである。従って、同じ部材，同じ部位には同じ符号を付けてある。そして、シャッタ羽根２，３以外の構成の説明、及びシャッタとしての作動の説明は、上記の説明と重複するので省略する。本実施例のシャッタ羽根２，３は図１（ｃ）から分かるように、アパーチャ内で相互に接するように、シャッタ羽根２は下方へ、シャッタ羽根３は上方へ僅かに凸面となるように湾曲されている。従って、図１（ｂ）に示すようにシャッタ羽根２，３間から進入する光は実質的に遮断される。
【００１５】
上記の凸面は、光軸Ｏの位置を頂点として凸レンズのように球面状に形成してもよい。しかし、製作上のことを考えると円弧面の方が現実的である。そこで円弧面に形成する場合について説明する。図１（ａ）には光軸Ｏを通る３本の二点鎖線イ，ロ，ハが示されている。イは孔２ａを中心に、ロは孔３ａを中心に、ハは孔２ａ，３ａ間の中点を中心に描いた円弧である。二点鎖線イはシャッタ羽根２に線状に形成される凸面の頂点を説明するためのものであり、二点鎖線ロは同様にしてシャッタ羽根３に形成される頂点を説明するためのものである。
【００１６】
これらの線イ，ロは夫々シャッタ羽根２，３の作動軌跡に沿っているため、両シャッタ羽根２，３は重合部が常に理論上点接触状態（実際には小さい面接触）を保てるため作動上極めて有利である。また、これらの頂点は円弧で示されたように形成することなく、各孔２ａ，３ａと光軸Ｏとを結ぶ線分に対し垂直線状となるように形成しても構わない。また、シャッタ羽根２，３に形成される頂点が二点鎖線ハに沿って形成されるようにしてもよい。その場合には、漏光防止効果が一層良くなる。尚、この場合にも円弧ではなく、孔２ａ，３ａ間の中点と光軸Ｏを結ぶ線分に対して垂直線状となるように形成しても構わない。
【００１７】
次に、図２及び図３を用いて、シャッタ羽根２，３の凸面を円弧状に形成した場合の湾曲度について説明する。本実施例のアパーチャ１の直径は、光軸Ｏを中心にして約１５ｍｍである。シャッタ羽根２，３の材質はプラスチックであり、厚さは０．１ｍｍである。この条件の下で、閉鎖状態におけるシャッタ羽根２，３の光軸位置から自由端までの反りの寸法ｄ１  ，ｄ２  を種々変えて検討してみたところ、シャッタ羽根２，３が閉じるとき相互の開口形成縁が噛み合うなどシャッタの作動に実質的に影響を及ぼさず且つ漏光を略完全に防止できるｄ１  ，ｄ２  の値は、約０．０５ｍｍから０．３ｍｍの間であった。
【００１８】
更に、シャッタ羽根２，３をこのような湾曲形状に加工する方法の一例を説明する。それには、従来からのフラッティング工程で使用していたプレステンパーという方法を用いる。本実施例のようなプラスチック製のシャッタ羽根２，３をプレステンパー法で平面化する場合には、一般に数十〜数百枚の各シャッタ羽根２，３を重ね、両側面から平面度の良い２枚の型板で十分に締めつけてプレスし、プラスチックの材質にもよるが、その状態で温度８０〜１２０度（１１０度が一般的には好適）の電気炉に約２時間入れておくと、良好な平面度を有するシャッタ羽根２，３を得ることができる。
【００１９】
そこで、本実施例のような湾曲形状に加工するためには、上記の型板の一方を所定の凸面に、他方を凹面に形成しておけば、上記の加工条件の下で所望の形状を得ることが可能となる。また、本実施例の場合には、図１（ａ）から分かるように、各シャッタ羽根２，３は、それらの自由端以外、言い換えれば各シャッタ羽根２，３の孔２ａ，３ａから少なくとも開口形成縁までの形状が対称的に形成されているため、上記のようなプレス治具はシャッタ羽根２にも、シャッタ羽根３にも適用することが可能である。
【００２０】
尚、上記の実施例に示したシャッタは、各シャッタ羽根の回動の支点位置（孔２ａ，３ａの位置）が別であり、動点位置（スロット２ｂ，３ｂの位置）が同じになるように構成されているが、逆に各支点位置を同じにし動点位置が別になるように構成したシャッタも知られており、本発明はそのような構成のシャッタにも適用することができる。また、最近においては、上記のような２枚一組のシャッタ羽根を二組備え、露光開閉時に一方の組を開き用に、他方の組を閉じ用に使用するシャッタが知られており、本発明はそのような構成のシャッタにも適用することが可能である。
【００２１】
【発明の効果】
上記のように、本発明は、シャッタ閉鎖時において、両シャッタ羽根が、アパーチャ内で重なり合っている部分の一部で接触するようにしているので、漏光の心配が全くなく、また作動上も安定し姿勢差や切りむらも生じにくく、シャッタの小型化に極めて適している。しかも従来と殆ど同様にして製作が可能であるためコスト的にも有利である。
【図面の簡単な説明】
【図１】本実施例のシャッタを示しており、図（ａ）は閉鎖状態におけるアパーチャとシャッタ羽根との配置関係を示した平面図であり、図（ｂ）は図（ａ）においてＡ−Ａ線で断面した場合における羽根室内の構成を示す断面図であり、図（ｃ）は図（ａ）においてＢ−Ｂ線で断面した場合における羽根室内の構成を示す断面図である。
【図２】本実施例の一方のシャッタ羽根を示しており、図（ａ）は平面図であり、図（ｂ）は図（ａ）の底面図である。
【図３】本実施例の他方のシャッタ羽根を示しており、図（ａ）は平面図であり、図（ｂ）は図（ａ）の底面図である。
【図４】従来例のシャッタの平面図である。
【図５】図４においてＸ−Ｘ線で断面した場合における羽根室内の構成を示す断面図である。
【図６】
従来例の他のシャッタを図５と同様にして視た断面図である。
【図７】従来におけるシャッタの組立例を示したものであり、図（ａ）は図４と同様にして示した平面図であり、図（ｂ）は図（ａ）のＹ−Ｙ線で断面し、図５と同様にして示した断面図である。図（ｃ）は図（ａ）のＺ−Ｚ線で断面し、図（ｂ）と同様にして示した断面図である。
【符号の説明】
１                          アパーチャ
２，３                      シャッタ羽根
２ａ，３ａ                  孔
２ｂ，３ｂ                  スロット
２ｃ                        突出部
４，５                      地板
４ａ，５ａ                  開口
４ｂ，４ｃ，５ｂ，５ｃ      摺接部
【図１】
0003561336.tif 000002
【図２】
0003561336.tif 000003
【図３】
0003561336.tif 000004
【図４】
0003561336.tif 000005
【図５】
0003561336.tif 000006
【図６】
0003561336.tif 000007
【図７】
0003561336.tif 000008